(57)【要約】    【課題】  筒状部材同士が精度良く直列状に確り連結される筒状部材連結構造、連結用筒状部材、筒状部材連結体及び清掃具の提供。    【解決手段】  筒状部材Ａの下端部ＡＬに、合成樹脂製の雌形連結端部Ｎを内嵌固定する。雌形連結端部Ｎは、内径が下端側に向かってテーパ状に増大するテーパ状内径部Ｎ１と、上端側の雌螺子部Ｎ２を備える。テーパ状内径部Ｎ１と雌螺子部Ｎ２と筒状部材Ａは同軸状をなす。筒状部材Ｂの上端部ＢＵに、外径が上端側に向かって雌形連結端部Ｎのテーパ状内径部Ｎ１と同等のテーパ角度でテーパ状に減少するテーパ状外径部Ｓを有する。上端部ＢＵに、上端側に雌螺子部Ｎ２に螺合し得る合成樹脂製の雄螺子部Ｍ１を備える雄形連結端部Ｍの下端側部を内嵌固定する。テーパ状外径部Ｓを含む筒状部材Ｂと雄螺子部Ｍ１は同軸状をなす。【選択図】      図１３
2020079600.tif 000002
【特許請求の範囲】
【請求項１】
筒状部材同士を直列状に連結する筒状部材連結構造であって、
第１の筒状部材の一方の端部Ｘには、外径が先端側に向かってテーパ状に減少するテーパ状外径部を有し、
前記端部Ｘには、先端側に雄螺子部を備えてなる雄形連結端部の基端側部が連結され、
前記テーパ状外径部と雄螺子部は同軸状に形成されており、
第２の筒状部材の一方の端部Ｙには、内径が先端側に向かって前記テーパ状外径部と同等の角度のテーパ状に増大するテーパ状内径部と、そのテーパ状内径部の基端側に設けられた雌螺子部とを備えてなる雌形連結端部が内嵌固定され、
前記テーパ状内径部と雌螺子部は同軸状に形成されており、
前記雄形連結端部の雄螺子部が前記雌形連結端部の雌螺子部に螺合することにより、前記テーパ状内径部と前記テーパ状外径部が所定の軸線方向長の全周にわたり同軸状に密接し、第１の筒状部材と第２の筒状部材が直列状に連結されることを特徴とする筒状部材連結構造。
【請求項２】
上記テーパ状外径部を含む第１の筒状部材と雄螺子部が同軸状に形成されている請求項１記載の筒状部材連結構造。
【請求項３】
上記テーパ状内径部と雌螺子部と第２の筒状部材が同軸状に形成されている請求項１又は２記載の筒状部材連結構造。
【請求項４】
上記第２の筒状部材の一方の端部Ｙは、内径が先端側に向かって増大するテーパ状に形成されたものである請求項１乃至３の何れか１項に記載の筒状部材連結構造。
【請求項５】
上記第１の筒状部材の一方の端部Ｘの外周部のうち、少なくとも第２の筒状部材の一方の端部Ｙに内嵌固定された雌形連結端部の内周部と接する部分を構成する材料と、前記雌形連結端部の内周部のうち、少なくとも前記端部Ｘの外周部と接する部分を構成する材料が異なるものである請求項１乃至４の何れか１項に記載の筒状部材連結構造。
【請求項６】
上記第１の筒状部材と第２の筒状部材は金属製であり、第２の筒状部材の一方の端部Ｙに内嵌固定された雌形連結端部は合成樹脂製である請求項５記載の筒状部材連結構造。
【請求項７】
請求項１乃至６の何れか１項に記載の筒状部材連結構造用の筒状部材であって、
一方の端部Ｘに、外径が先端側に向かってテーパ状に減少するテーパ状外径部を有し、
前記端部Ｘには、先端側に雄螺子部を備えてなる雄形連結端部の基端側部が連結され、
前記テーパ状外径部と雄螺子部は同軸状に形成されてなる連結用筒状部材。
【請求項８】
請求項１乃至６の何れか１項に記載の筒状部材連結構造用の筒状部材であって、
一方の端部Ｙに、内径が先端側に向かってテーパ状に増大するテーパ状内径部と、そのテーパ状内径部の基端側に設けられた雌螺子部とを備えてなる雌形連結端部が内嵌固定され、
前記テーパ状内径部と雌螺子部は同軸状に形成されてなる連結用筒状部材。
【請求項９】
請求項１乃至６の何れか１項に記載の筒状部材連結構造により連結された複数の筒状部材からなる筒状部材連結体。
【請求項１０】
請求項９記載の筒状部材連結体を柄として有する清掃具。
【発明の詳細な説明】
【技術分野】
【０００１】
本発明は、清掃具の柄等に用いられ得る筒状部材連結構造、連結用筒状部材、筒状部材連結体及びその筒状部材連結体を有する清掃具に関する。
【背景技術】
【０００２】
特許第５４０８７７５号公報には、筒状パイプ１０のオス側端部１１をテーパー面に形成すると共にネジ部材１４を取付け、そのネジ部材１４のネジ条と係合する二つの突起１５と１６を内壁に設けた直管状の筒状パイプ１２に挿入して筒状パイプ１０のオス側端部１１を二つの突起１５と１６に係合させて両筒状パイプ１０・１２を連結する連結構造が記載されている。
【０００３】
この場合、オス側端部１１をテーパー面に形成した筒状パイプ１０と直管状の筒状パイプ１２の連結精度はあまり良いとは言えず、連結の強度もあまり高いものとすることはできない。
【先行技術文献】
【特許文献】
【０００４】
【特許文献１】特許第５４０８７７５号公報
【発明の概要】
【発明が解決しようとする課題】
【０００５】
本発明は、筒状部材同士が良好な精度で直列状に確りと連結される筒状部材連結構造、連結用筒状部材、筒状部材連結体及びその筒状部材連結体を有する清掃具を提供することを目的とする。
【課題を解決するための手段】
【０００６】
本発明の筒状部材連結構造、連結用筒状部材、筒状部材連結体及びその筒状部材連結体を有する清掃具は、次のように表すことができる。
【０００７】
(1) 筒状部材同士を直列状に連結する筒状部材連結構造であって、
第１の筒状部材の一方の端部Ｘには、外径が先端側に向かってテーパ状に減少するテーパ状外径部を有し、
前記端部Ｘには、先端側に雄螺子部を備えてなる雄形連結端部の基端側部が連結され、
前記テーパ状外径部と雄螺子部は同軸状に形成されており、
第２の筒状部材の一方の端部Ｙには、内径が先端側に向かって前記テーパ状外径部と同等の角度のテーパ状に増大するテーパ状内径部と、そのテーパ状内径部の基端側に設けられた雌螺子部とを備えてなる雌形連結端部が内嵌固定され、
前記テーパ状内径部と雌螺子部は同軸状に形成されており、
前記雄形連結端部の雄螺子部が前記雌形連結端部の雌螺子部に螺合することにより、前記テーパ状内径部と前記テーパ状外径部が所定の軸線方向長の全周にわたり同軸状に密接し、第１の筒状部材と第２の筒状部材が直列状に連結されることを特徴とする筒状部材連結構造。
【０００８】
第１の筒状部材の一方の端部Ｘに基端側部が連結された雄形連結端部が、第２の筒状部材の一方の端部Ｙに内嵌固定された雌形連結端部内に挿入され、両筒状部材の軸線まわりの相対的な回動により雄形連結端部の雄螺子部が前記雌形連結端部の雌螺子部に螺合することにより、互いに同等の角度のテーパ状である雌形連結端部のテーパ状内径部と、第１の筒状部材の一方の端部Ｘに有するテーパ状外径部が、設計に基づく所定の軸線方向長の全周にわたり同軸状に密接する。
【０００９】
テーパ状外径部と雄螺子部は同軸状に形成されており、テーパ状内径部と雌螺子部は同軸状に形成されているので、第１の筒状部材と第２の筒状部材は、それぞれのテーパ状外径部とテーパ状内径部が良好な精度で同軸状をなす状態で、直列状に確りと連結される。
【００１０】
また、第１の筒状部材と第２の筒状部材が接すること及びそれによる不都合（例えば両筒状部材の軸線まわりの相対的な回動による連結時又は分離時に生じる摩耗粉や摩耗粉による汚水の発生、摩耗による連結精度の低下等）を回避することができる。
【００１１】
(2) 上記テーパ状外径部を含む第１の筒状部材と雄螺子部が同軸状に形成されている上記(1)記載の筒状部材連結構造。
【００１２】
(3) 上記テーパ状内径部と雌螺子部と第２の筒状部材が同軸状に形成されている上記(1)又は(2)記載の筒状部材連結構造。
【００１３】
(4) 上記第２の筒状部材の一方の端部Ｙは、内径が先端側に向かって増大するテーパ状に形成されたものである上記(1)乃至(3)の何れか１項に記載の筒状部材連結構造。
【００１４】
(5) 上記第１の筒状部材の一方の端部Ｘの外周部のうち、少なくとも第２の筒状部材の一方の端部Ｙに内嵌固定された雌形連結端部の内周部と接する部分を構成する材料と、前記雌形連結端部の内周部のうち、少なくとも前記端部Ｘの外周部と接する部分を構成する材料が異なるものである上記(1)乃至(4)の何れか１項に記載の筒状部材連結構造。
【００１５】
(6) 上記第１の筒状部材と第２の筒状部材は金属製であり、第２の筒状部材の一方の端部Ｙに内嵌固定された雌形連結端部は合成樹脂製である上記(5)記載の筒状部材連結構造。
【００１６】
(7) 上記(1)乃至(6)の何れか１項に記載の筒状部材連結構造用の筒状部材であって、
一方の端部Ｘに、外径が先端側に向かってテーパ状に減少するテーパ状外径部を有し、
前記端部Ｘには、先端側に雄螺子部を備えてなる雄形連結端部の基端側部が連結され、
前記テーパ状外径部と雄螺子部は同軸状に形成されてなる連結用筒状部材。
【００１７】
(8) 上記(1)乃至(6)の何れか１項に記載の筒状部材連結構造用の筒状部材であって、
一方の端部Ｙに、内径が先端側に向かってテーパ状に増大するテーパ状内径部と、そのテーパ状内径部の基端側に設けられた雌螺子部とを備えてなる雌形連結端部が内嵌固定され、
前記テーパ状内径部と雌螺子部は同軸状に形成されてなる連結用筒状部材。
【００１８】
(9) 上記(1)乃至(6)の何れか１項に記載の筒状部材連結構造により連結された複数の筒状部材からなる筒状部材連結体。
【００１９】
(10) 上記(9)記載の筒状部材連結体を柄として有する清掃具。
【発明の効果】
【００２０】
本発明の筒状部材連結構造、連結用筒状部材、筒状部材連結体及びその筒状部材連結体を有する清掃具においては、第１の筒状部材と第２の筒状部材は、良好な精度で直列状に確りと連結される。
【００２１】
また、両筒状部材が接すること及びそれによる、例えば摩耗粉や摩耗粉による汚水の発生、摩耗による連結精度の低下等の不都合を回避することができる。
【図面の簡単な説明】
【００２２】
【図１】筒状部材連結体の斜視図である。
【図２】筒状部材Ａの斜視図である。
【図３】筒状部材Ａの分解斜視図である。
【図４】筒状部材Ａの断面図である。
【図５】筒状部材Ａの下端部拡大断面図である。
【図６】筒状部材Ｂの斜視図である。
【図７】筒状部材Ｂの分解斜視図である。
【図８】筒状部材Ｂの断面図である。
【図９】筒状部材Ｂの上端部拡大断面図である。
【図１０】筒状部材Ｃの斜視図である。
【図１１】筒状部材Ｃの分解斜視図である。
【図１２】筒状部材Ｃの断面図である。
【図１３】筒状部材Ａの下端部と筒状部材Ｂの上端部の連結箇所の拡大断面図である。
【発明を実施するための形態】
【００２３】
[1] 本発明の実施の形態を、図面を参照しつつ説明する。
【００２４】
図面は何れも本発明の実施の形態の例についてのものである。
【００２５】
(1) この例の筒状部材連結構造は、清掃具の柄を構成する筒状部材Ａと筒状部材Ｂ、筒状部材Ｂ同士、及び筒状部材Ｂと筒状部材Ｃを、それぞれ直列状に連結する構造である。
【００２６】
筒状部材Ａ、筒状部材Ｂ及び筒状部材Ｃは、何れもアルミニウム製で、ほぼ円筒状をなす。
【００２７】
なお、以下の記載における上端部、下端部、上端、下端等の表記は、図面に対応させて説明するためのものに過ぎず、実際の使用態様等を特定するものではない。
【００２８】
(2) 筒状部材Ａの上半部には合成樹脂製の把手部Ａ１が外嵌結合し、把手部Ａ１の把手部上端部Ａ２には吊り下げ等に用い得る貫通孔Ａ３を有する。
【００２９】
筒状部材Ａの下端部ＡＬ（端部Ｙ）は、内外径が下端側に向かってテーパ状に増大し、そのテーパ状の下端が軸線方向下方に開口するよう形成されている。
【００３０】
筒状部材Ａの下端部ＡＬには、ポリオキシメチレン樹脂製の雌形連結端部Ｎが内嵌固定されている。
【００３１】
雌形連結端部Ｎは、内径が下端側（先端側）に向かってテーパ状に増大するテーパ状内径部Ｎ１と、そのテーパ状内径部Ｎ１の上端側（基端側）に設けられた雌螺子部Ｎ２を備えてなる。テーパ状内径部Ｎ１は、雌形連結端部Ｎの下端（開口端である先端）に至る。テーパ状内径部Ｎ１と雌螺子部Ｎ２と筒状部材Ａは同軸状に形成されている。
【００３２】
(3) 筒状部材Ｂの上端部ＢＵ（端部Ｘ）は、外径が上端側（先端側）に向かってテーパ状に減少して上端（先端）に至るテーパ状外径部Ｓを有する。
【００３３】
上端部ＢＵには、上端側にポリオキシメチレン樹脂製の雄螺子部Ｍ１を備えてなる雄形連結端部Ｍの下端側部（基端側部）が、筒状部材Ｂの上端（先端）の軸線方向上方に開口する開口部に内嵌されて固定されることにより連結されている。
【００３４】
テーパ状外径部Ｓを含む筒状部材Ｂと雄螺子部Ｍ１は同軸状に形成されている。
【００３５】
雌形連結端部Ｎのテーパ状内径部Ｎ１と筒状部材Ｂのテーパ状外径部Ｓは、同等のテーパ角度に形成されている。
【００３６】
また、雌形連結端部Ｎの雌螺子部Ｎ２には、雄形連結端部Ｍの雄螺子部Ｍ１が螺合し得る。
【００３７】
(4) 筒状部材Ｂの上端部ＢＵに下端側部が連結固定された雄形連結端部Ｍが、筒状部材Ａの下端部ＡＬに内嵌固定された雌形連結端部Ｎ内に下方から挿入され、筒状部材Ａと筒状部材Ｂの軸線まわりの相対的な回動によって雄形連結端部Ｍの雄螺子部Ｍ１が雌形連結端部Ｎの雌螺子部Ｎ２に螺合することにより、互いに同等の角度のテーパ状である雌形連結端部Ｎのテーパ状内径部Ｎ１と、筒状部材Ｂの上端部ＢＵに有するテーパ状外径部Ｓが、設計に基づく所定の軸線方向長（図１３に示されるように、テーパ状外径部Ｓの上半部の軸線方向長、すなわち、対応するテーパ状内径部Ｎ１の上端部を除く部分の軸線方向長）の全周にわたり同軸状に密接する。
【００３８】
テーパ状外径部Ｓを含む筒状部材Ｂと雄螺子部Ｍ１は同軸状に形成されており、テーパ状内径部Ｎ１と雌螺子部Ｎ２と筒状部材Ａは同軸状に形成されているので、筒状部材Ｂの上端部ＢＵにおけるテーパ状外径部Ｓと、筒状部材Ａの下端部ＡＬに内嵌固定された雌形連結端部Ｎのテーパ状内径部Ｎ１が良好な精度で同軸状をなし、筒状部材Ｂと筒状部材Ａが良好な精度で同軸状をなす状態で、直列状に確りと連結される。
【００３９】
筒状部材Ａの下端部ＡＬの内径が下端側に向かってテーパ状に増大しているため、下端部ＡＬに内嵌固定される雌形連結端部Ｎの外径及びテーパ状内径部Ｎ１の内径を十分に大きく設定することができ、対応するテーパ状外径部Ｓの外径も十分に大きく設定することができる。それにより、筒状部材Ｂと筒状部材Ａが連結する状態におけるテーパ状外径部Ｓとテーパ状内径部Ｎ１の同軸状密接の精度がより良好となると共に、連結強度を高めることができる。
【００４０】
また、アルミニウム製の筒状部材Ｂの上端部ＢＵのテーパ状外径部Ｓの外周部が、筒状部材Ａの下端部ＡＬに内嵌固定されたポリオキシメチレン樹脂製の雌形連結端部Ｎのテーパ状内径部Ｎ１の内周部に挿入された状態で、筒状部材Ａと筒状部材Ｂの軸線まわりの相対的な回動によってそれらの筒状部材Ａと筒状部材Ｂが連結されるので、アルミニウム製の両筒状部材が接すること及びそれによる、摩耗粉や摩耗粉に水分が加わることによる汚水の発生、摩耗による連結精度の低下等の不都合を回避することができる。
【００４１】
(5) 筒状部材Ｂの下端部ＢＬ及び下端部ＢＬに内嵌固定された雌形連結端部Ｎは、筒状部材Ａの下端部ＡＬ及び下端部ＡＬに内嵌固定された雌形連結端部Ｎと同様の構成である。
【００４２】
筒状部材Ｃの上端部ＣＵ及び上端部ＣＵに下端側部が内嵌固定された雄形連結端部Ｍは、筒状部材Ｂの上端部ＢＵ及び上端部ＢＵに下端側部が内嵌固定された雄形連結端部Ｍと同様の構成である。
【００４３】
筒状部材Ｃの下端部ＣＬには、例えばモップ用拭糸やモップ用拭布等を保持するモップヘッドやガラス窓等の洗浄若しくは清掃や結露除去のためのワイパーヘッド等の清掃ヘッドの基部に着脱するための合成樹脂製の着脱体Ｐの上端部が嵌合固定されている。
【００４４】
[2] 本発明の実施の形態を、上記以外の形態を含めて更に説明する。
【００４５】
(1) 本発明の筒状部材連結構造は、筒状部材同士を直列状に連結する構造であり、清掃具の柄の他、各種機器・装置の柄、或いはその他の連結長尺体等に用いられ得る。
【００４６】
本発明の筒状部材連結構造は、この連結構造により直列状に連結した２つの筒状部材の一方又は両方と、別の筒状部材との直列状連結についても、適用され得る。
【００４７】
本発明の筒状部材連結構造を構成する部材としては、少なくとも、筒状部材、筒状部材の端部に連結される雄形連結端部、筒状部材の端部に内嵌固定される雌形連結端部を挙げることができ、必要に応じその他の部材を用い得る。
【００４８】
(2) 本発明における筒状部材の断面形状は、全体として内周及び外周が同心円状であること、すなわち全体として円筒状をなすことが好ましいが、必ずしもこれに限るものではない。テーパ状内径部及びテーパ状外径部以外の内外周の断面形状の例としては、円形の他、正多角形を始めとする各種多角形やその他の形状を挙げることができる。
【００４９】
また、本発明における筒状部材は、必ずしも全長にわたり中空状であることを要するものではなく、例えば一方の端部等が中実状であるものであってもよい。
【００５０】
本発明における筒状部材は、アルミニウム、アルミニウム合金、鉄鋼、ステンレス鋼などの金属製であることが強度・剛性・耐久性等において好ましいが、これに限るものではない。また、筒状部材の一部や把手等として合成樹脂製の部材やその他の材料からなるものを用いることもできる。
【００５１】
(3) 本発明の筒状部材連結構造において連結される筒状部材のうち、第１の筒状部材の一方の端部Ｘには、外径が先端側に向かってテーパ状に減少するテーパ状外径部を有する。
【００５２】
テーパ状外径部は、第１の筒状部材の一方の端部Ｘの先端に至るものとすることができるが、必ずしもこれに限らず、先端には至らないもの（例えば先端近傍部は一定外径）とすることもできる。
【００５３】
前記端部Ｘには、先端側に雄螺子部を備えてなる雄形連結端部の基端側部が（例えば端部Ｘが軸線方向に開口している場合にその開口部に内嵌されて固定されることにより）連結されている。
【００５４】
テーパ状外径部と雄螺子部は同軸状に（すなわち、それぞれの軸線を共通にするように）形成されている。なお、テーパ状外径部を含む第１の筒状部材と雄螺子部が同軸状に形成されていることが好ましい。
【００５５】
(4) 本発明の筒状部材連結構造において連結される筒状部材のうち、第２の筒状部材の一方の端部Ｙには、内径が先端側に向かって前記テーパ状外径部と同等の角度のテーパ状に増大するテーパ状内径部と、そのテーパ状内径部の基端側に設けられた雌螺子部を備えてなる雌形連結端部が内嵌固定されている。雌形連結端部の雌螺子部には、雄形連結端部の雄螺子部が螺合し得る。
【００５６】
テーパ状内径部は、雌形連結端部の先端（開口端）に至るものとすることができるが、必ずしもこれに限らず、先端には至らないもの（例えば先端近傍部は一定外径）とすることもできる。
【００５７】
テーパ状内径部と雌螺子部は同軸状に形成されている。なお、テーパ状内径部と雌螺子部と第２の筒状部材が同軸状に形成されていることが好ましい。
【００５８】
また、第２の筒状部材の一方の端部Ｙは、内径（又は内外径）が先端側に向かって増大するテーパ状に形成されたものであることが好ましい。雌形連結端部の外径及びその雌形連結端部内のテーパ状内径部の内径を十分に大きい寸法とすることにより、対応するテーパ状外径部の外径も十分な寸法とし、第１の筒状部材と第２の筒状部材の連結を、より精度が良く連結強度の高いものとするためである。
【００５９】
(5) 本発明における雄形連結端部及び雌形連結端部の両方又は一方は、その機能を発揮する上で十分な強度及び耐久性を備えた材料からなるものとすることができる。好ましくは合成樹脂製であり、その好ましい例としてポリオキシメチレン(ＰＯＭ)等のポリアセタールを挙げることができるが、これに限るものではない。
【００６０】
(6) 第１の筒状部材の一方の端部Ｘの外周部のうち、少なくとも第２の筒状部材の一方の端部Ｙに内嵌固定された雌形連結端部の内周部と接する部分を構成する材料と、前記雌形連結端部の内周部のうち、少なくとも前記端部Ｘの外周部と接する部分を構成する材料は異なるものであることが望ましい。異なる材料の例としては、一方がアルミニウム、アルミニウム合金、ステンレス鋼、鉄鋼等の金属で他方が合成樹脂の場合を挙げることができるが、これに限るものではない。
【００６１】
第１の筒状部材の一方の端部Ｘの外周部（テーパ状外径部の外周部又はテーパ状外径部及びその他の部分の外周部）が、第２の筒状部材の一方の端部Ｙに内嵌固定された雌形連結端部の内周部（テーパ状内径部の内周部又はテーパ状内径部及びその他の部分の内周部）に挿入された状態で、両筒状部材が連結されるので、第１の筒状部材の一方の端部Ｘの外周部のうち、少なくとも第２の筒状部材の一方の端部Ｙに内嵌固定された雌形連結端部の内周部と接する部分を構成する材料と、前記雌形連結端部の内周部のうち、少なくとも前記端部Ｘの外周部と接する部分を構成する材料が異なるものであることにより、同一材料の部分同士が接する状態で両筒状部材の軸線まわりの相対的な回動による連結及び分離が行われること並びにそれによる不都合（例えば摩耗粉や摩耗粉による汚水の発生、摩耗による連結精度の低下等）を回避することができる。
【００６２】
例えば、第１の筒状部材と第２の筒状部材はアルミニウム、アルミニウム合金、ステンレス鋼、鉄鋼等の金属製であり、第２の筒状部材の一方の端部Ｙに内嵌固定された雌形連結端部はポリオキシメチレン又はその他の合成樹脂製であるものとすることにより、金属製である第１の筒状部材の一方の端部Ｘの外周部と、第２の筒状部材の一方の端部Ｙに内嵌固定された合成樹脂製の雌形連結端部の内周部が接する状態で両筒状部材が連結することとなる。
【００６３】
この場合、第１の筒状部材と第２の筒状部材のように金属材料製の部材同士が接することによって、両筒状部材の軸線まわりの相対的な回動による連結時又は分離時に摩耗粉や摩耗粉による汚水が発生すること、摩耗による連結精度が低下すること等の不都合が生じることを、回避することができる。
【００６４】
(7) 本発明の筒状部材連結構造は、テーパ状外径部を含む第１の筒状部材と雄螺子部が同軸状に形成されており、テーパ状内径部と雌螺子部と第２の筒状部材が同軸状に形成されていることが望ましい。
【００６５】
これにより、第１の筒状部材の一方の端部Ｘにおけるテーパ状外径部と、第２の筒状部材の一方の端部Ｙに内嵌固定された雌形連結端部のテーパ状内径部が良好な精度で同軸状をなし、第１の筒状部材と第２の筒状部材が良好な精度で同軸状をなす状態で、直列状に確りと連結される。
【００６６】
(8) 筒状部材は、外径が先端側に向かってテーパ状に減少するテーパ状外径部を有し、雄形連結端部の基端側部が連結された端部Ｘと、雌形連結端部が内嵌固定された端部Ｙを、一方の端部と他方の端部にそれぞれ有するものとすることができる他、一方の端部に端部Ｘ又は端部Ｙを有し、他方の端部は端部Ｘ及び端部Ｙの何れでもないもの（例えば把手部又は清掃ヘッド等を着脱し得る着脱体等）とすること、或いは、両方の端部が端部Ｘ又は端部Ｙの何れかであるものとすることもできる。
【００６７】
(9) 本発明の連結用筒状部材は、上記筒状部材連結構造用の筒状部材であって、
一方の端部Ｘに、外径が先端側に向かってテーパ状に減少するテーパ状外径部を有し、
前記端部Ｘには、先端側に雄螺子部を備えてなる雄形連結端部の基端側部が連結され、
前記テーパ状外径部と雄螺子部は同軸状に形成されてなるものである。
【００６８】
(10) 本発明の別の連結用筒状部材は、上記筒状部材連結構造用の筒状部材であって、
一方の端部Ｙに、内径が先端側に向かってテーパ状に増大するテーパ状内径部と、そのテーパ状内径部の基端側に設けられた雌螺子部とを備えてなる雌形連結端部が内嵌固定され、
前記テーパ状内径部と雌螺子部は同軸状に形成されてなるものである。
【００６９】
(11) 上記(9)記載の連結用筒状部材は、他方の端部に関して上記(10)記載の連結用筒状部材であってもよく、上記(10)記載の連結用筒状部材は、他方の端部に関して上記(9)記載の連結用筒状部材であってもよい。
【００７０】
(12) 本発明の筒状部材連結体は、上記筒状部材連結構造により連結された複数の筒状部材からなる。
【００７１】
(13) 本発明の清掃具は、上記本発明の筒状部材連結体を柄として有するものである。
【符号の説明】
【００７２】
Ａ      筒状部材
Ａ１    把手部
Ａ２    把手部上端部
Ａ３    貫通孔
ＡＬ    下端部
Ｂ      筒状部材
ＢＬ    下端部
ＢＵ    上端部
Ｃ      筒状部材
ＣＬ    下端部
ＣＵ    上端部
Ｍ      雄形連結端部
Ｍ１    雄螺子部
Ｎ      雌形連結端部
Ｎ１    テーパ状内径部
Ｎ２    雌螺子部
Ｐ      着脱体
Ｓ      テーパ状外径部
【図１】
2020079600.tif 000003
【図２】
2020079600.tif 000004
【図３】
2020079600.tif 000005
【図４】
2020079600.tif 000006
【図５】
2020079600.tif 000007
【図６】
2020079600.tif 000008
【図７】
2020079600.tif 000009
【図８】
2020079600.tif 000010
【図９】
2020079600.tif 000011
【図１０】
2020079600.tif 000012
【図１１】
2020079600.tif 000013
【図１２】
2020079600.tif 000014
【図１３】
2020079600.tif 000015